(57)【要約】【課題】利用者や乗務員にとって簡便に、所定の情報に基づく割引を料金に適用することができる端末、携帯可能電子装置および電子回路を提供することである。【解決手段】実施形態の端末は、情報取得部と、設定部を有する。前記情報取得部は、第１の携帯可能電子装置との通信を介して前記第１の携帯可能電子装置に記憶された情報を取得する。前記設定部は、続けて前記第１の携帯可能電子装置および第２の携帯可能電子装置と通信する場合に前記情報取得部により取得された情報により特定される割引に基づいて、前記第２の携帯可能電子装置との通信により精算を行う料金を設定する。【選択図】図４
2015095153.tif 000002
【特許請求の範囲】
【請求項１】
第１の携帯可能電子装置との通信を介して前記第１の携帯可能電子装置に記憶された情報を取得する情報取得部と、
続けて前記第１の携帯可能電子装置および第２の携帯可能電子装置と通信する場合に前記情報取得部により取得された情報により特定される割引に基づいて、前記第２の携帯可能電子装置との通信により精算を行う料金を設定する設定部と、
を有する端末。
【請求項２】
利用者によるサービスの利用開始時または利用終了時のいずれかに、
前記第１の携帯可能電子装置の後に続けて前記第２の携帯可能電子装置と通信する場合に、前記情報取得部は、前記第１の携帯可能電子装置に記憶された情報を取得し、
前記設定部は、前記情報取得部により取得された情報により特定される割引に基づいて、前記第２の携帯可能電子装置との通信により精算を行う料金を設定する、
請求項１に記載の端末。
【請求項３】
前記情報取得部により取得された情報または当該情報により特定される割引の情報を記憶する記憶部を有し、
利用者によるサービスの利用開始時に、
前記第１の携帯可能電子装置の後に続けて前記第２の携帯可能電子装置と通信する場合に、前記情報取得部は、前記第１の携帯可能電子装置に記憶された情報を取得し、
前記記憶部は、前記情報取得部により取得された情報または当該情報により特定される割引の情報を記憶し、
前記利用者による前記サービスの利用終了時に、
前記第２の携帯可能電子装置と通信する場合に、前記設定部は、前記記憶部に記憶された情報を用いることで、前記情報取得部により取得された情報により特定される割引に基づいて、前記第２の携帯可能電子装置との通信により精算を行う料金を設定する、
請求項１に記載の端末。
【請求項４】
前記第２の携帯可能電子装置との通信を介して、前記情報取得部により取得された情報または当該情報により特定される割引の情報を前記第２の携帯可能電子装置へ通知する通知部を有し、
利用者によるサービスの利用開始時に、
前記第１の携帯可能電子装置の後に続けて前記第２の携帯可能電子装置と通信する場合に、前記情報取得部は、前記第１の携帯可能電子装置に記憶された情報を取得し、
前記通知部は、前記情報取得部により取得された情報または当該情報により特定される割引の情報を前記第２の携帯可能電子装置へ通知し、
前記利用者による前記サービスの利用終了時に、
前記第２の携帯可能電子装置と通信する場合に、前記設定部は、前記通知部により前記第２の携帯可能電子装置へ通知された情報を用いることで、前記情報取得部により取得された情報により特定される割引に基づいて、前記第２の携帯可能電子装置との通信により精算を行う料金を設定する、
請求項１に記載の端末。
【請求項５】
前記情報取得部により取得された情報または当該情報により特定される割引の情報を記憶する記憶部を有し、
利用者によるサービスの利用開始時に、
前記第２の携帯可能電子装置の後に続けて前記第１の携帯可能電子装置と通信する場合に、前記情報取得部は、前記第１の携帯可能電子装置に記憶された情報を取得し、
前記記憶部は、前記情報取得部により取得された情報または当該情報により特定される割引の情報を記憶し、
前記利用者による前記サービスの利用終了時に、
前記第２の携帯可能電子装置と通信する場合に、前記設定部は、前記記憶部に記憶された情報を用いることで、前記情報取得部により取得された情報により特定される割引に基づいて、前記第２の携帯可能電子装置との通信により精算を行う料金を設定する、
請求項１に記載の端末。
【請求項６】
利用者によるサービスの利用開始時に、
前記第２の携帯可能電子装置との通信が行われ、
前記利用者による前記サービスの利用終了時に、
前記第１の携帯可能電子装置の後に続けて前記第２の携帯可能電子装置と通信する場合に、前記情報取得部は、前記第１の携帯可能電子装置に記憶された情報を取得し、
前記設定部は、前記情報取得部により取得された情報により特定される割引に基づいて、前記第２の携帯可能電子装置との通信により精算を行う料金を設定する、
請求項１に記載の端末。
【請求項７】
前記サービスは、前記利用者を運搬するサービスであり、
前記設定部は、さらに、前記サービスの利用開始時における場所の情報および前記サービスの利用終了時における場所の情報に基づいて、前記第２の携帯可能電子装置との通信により精算を行う料金を設定する、
請求項３から請求項６のいずれか１項に記載の端末。
【請求項８】
前記サービスの利用開始時に使用される端末と前記サービスの利用終了時に使用される端末が別体で設けられる、
請求項３から請求項６のいずれか１項に記載の端末。
【請求項９】
前記第１の携帯可能電子装置に記憶された情報は、割引を特定する元となる情報、または、割引自体の情報である、
請求項１から請求項８のいずれか１項に記載の端末。
【請求項１０】
外部の管理サーバから送信される情報をネットワークを介して受信するネットワーク通信部を有する、
請求項１から請求項９のいずれか１項に記載の端末。
【請求項１１】
前記精算を行う料金は、公共交通機関の料金である、
請求項１から請求項１０のいずれか１項に記載の端末。
【請求項１２】
前記第１の携帯可能電子装置は、ＩＣカードが用いられた個人番号カードであり、
前記第２の携帯可能電子装置は、ＩＣカードが用いられた精算用カードである、
請求項１から請求項１１のいずれか１項に記載の端末。
【請求項１３】
前記第１の携帯可能電子装置と前記第２の携帯可能電子装置は、同一または異なる装置である、
請求項１から請求項１１のいずれか１項に記載の端末。
【請求項１４】
端末と通信する通信部と、
他の携帯可能電子装置から前記端末により取得された情報または当該情報により特定される割引の情報を前記端末から通知されて記憶する割引特定情報記憶部と、
前記割引特定情報記憶部に記憶された情報に基づいて前記端末により設定される料金の精算を行うための残高の金額の情報を記憶する金額情報記憶部と、
を有する携帯可能電子装置。
【請求項１５】
利用者を運搬するサービスについて、
前記利用者による前記サービスの利用開始時における場所の情報および前記利用者による前記サービスの利用終了時における場所の情報に基づいて前記料金を設定する前記端末から通知された前記サービスの利用開始時における場所の情報を記憶する場所情報記憶部を有する、
請求項１４に記載の携帯可能電子装置。
【請求項１６】
他の携帯可能電子装置から端末により取得された情報または当該情報により特定される割引の情報を前記端末から通知されて記憶する割引特定情報記憶部と、
前記割引特定情報記憶部に記憶された情報に基づいて前記端末により設定される料金の精算を行うための残高の金額の情報を記憶する金額情報記憶部と、
を有する電子回路。
【発明の詳細な説明】
【技術分野】
【０００１】
本発明の実施形態は、端末、携帯可能電子装置および電子回路に関する。
【背景技術】
【０００２】
バスなどの公共交通機関では、個人情報に基づく割引の制度がある。
利用者が公共交通機関に乗車する際に手帳を提示すると、乗務員が当該手帳に記載された個人情報を目視確認して精算機の運賃設定を割引後の運賃へ変更し、その後に、利用者が割引後の運賃を支払う。または、ＩＣ（Integrated Circuit）カードに割引に関する情報が記憶される場合もある（例えば、特許文献１参照。）。
【先行技術文献】
【特許文献】
【０００３】
【特許文献１】特開２００６−４３５５号公報
【発明の概要】
【発明が解決しようとする課題】
【０００４】
本発明が解決しようとする課題は、利用者や乗務員にとって簡便に、所定の情報に基づく割引を料金に適用することができる端末、携帯可能電子装置および電子回路を提供することである。
【課題を解決するための手段】
【０００５】
実施形態の端末は、情報取得部と、設定部を有する。前記情報取得部は、第１の携帯可能電子装置との通信を介して前記第１の携帯可能電子装置に記憶された情報を取得する。前記設定部は、続けて前記第１の携帯可能電子装置および第２の携帯可能電子装置と通信する場合に前記情報取得部により取得された情報により特定される割引に基づいて、前記第２の携帯可能電子装置との通信により精算を行う料金を設定する。
【図面の簡単な説明】
【０００６】
【図１】実施形態１のＩＣカードの概略的なハードウェア（ＨＷ）構成を示すブロック図である。
【図２】実施形態１のＥＥＰＲＯＭの領域分割の一例を示す図である。
【図３】実施形態１のＩＣカードに複数のＤＦが登録されている場合にデータ領域に構築されるファイルの構造とそのファイルの種別の一例を示す図である。
【図４】実施形態１の通信システムの構成を示すブロック図である。
【図５】実施形態１の前部端末の構成を示すブロック図である。
【図６】実施形態１の通信システムにおける料金支払いの処理の流れの一例を示すタイムチャート図である。
【図７】実施形態１の前部端末における料金支払いの処理の流れの一例を示すフローチャート図である。
【図８】実施形態２の前部端末の構成を示すブロック図である。
【図９】実施形態２の通信システムにおける料金支払いの処理の流れの一例を示すタイムチャート図である。
【図１０】実施形態２の読み取り端末システムにおける料金支払いの処理の流れの一例を示すフローチャート図である。
【図１１】実施形態３の前部端末の構成を示すブロック図である。
【図１２】実施形態３の精算用カードの構成を示すブロック図である。
【図１３】実施形態３の通信システムにおける料金支払いの処理の流れの一例を示すタイムチャート図である。
【図１４】実施形態３の読み取り端末システムにおける料金支払いの処理の流れの一例を示すフローチャート図である。
【図１５】実施形態４の通信システムにおける料金支払いの処理の流れの一例を示すタイムチャート図である。
【図１６】実施形態４の読み取り端末システムにおける料金支払いの処理の流れの一例を示すフローチャート図である。
【図１７】実施形態５の通信システムにおける料金支払いの処理の流れの一例を示すタイムチャート図である。
【図１８】実施形態５の読み取り端末システムにおける料金支払いの処理の流れの一例を示すフローチャート図である。
【発明を実施するための形態】
【０００７】
（実施形態１）
以下、実施形態１を図面を参照して説明する。
まず、ＩＣカードの概要について説明する。
図１は、実施形態１のＩＣカード１の概略的なハードウェア（ＨＷ）構成を示すブロック図である。
ＩＣカード１は、当該ＩＣカード１の本体内に埋設された１個のＩＣチップ５（電子回路の一例）を備える。
ＩＣチップ５は、ＣＰＵ（Central Processing Unit）が用いられた制御素子１１と、記憶内容が書き換え可能な不揮発性のＥＥＰＲＯＭ（Electrically Erasable Programmable ＲＯＭ）１２と、制御素子１１が処理を行う際の処理データを一時的に保持するＲＡＭ（Random Access Memory）１３と、制御素子１１により実行されるプログラムを記憶するＲＯＭ（Read Only Memory）１４と、ＩＣチップ５の外部に設けられる接触点またはアンテナを用いて端末との接触式または非接触式の通信を行う通信部１５を備える。これらの処理部１１〜１５は、データバスを介して、通信可能に接続されている。
実施形態１では、端末は、ＩＣカード１に記憶された情報を読み取ることなどを行うリーダライタの端末である。
ＩＣカード１は、外部の端末からの指示（コマンド）を解釈して当該コマンドの処理を実行し、その結果を端末へ応答する。
【０００８】
ここで、ＩＣカード１と端末との通信の方式としては、接触方式または非接触方式のいずれが用いられてもよい。
接触方式では、ＩＣカード１と端末のそれぞれに金属の接触点が備えられて、ＩＣカード１の接触点と端末の接触点とが接触させられた状態で、ＩＣカード１と端末とが通信する。
非接触方式では、ＩＣカード１と端末のそれぞれにループアンテナなどのアンテナが備えられて、ＩＣカード１のアンテナと端末のアンテナとの間での電磁誘導により、ＩＣカード１と端末とが通信する。
また、ＩＣカード１が電源を備える構成が用いられてもよく、または、ＩＣカード１が電源を備えずに、端末からＩＣカード１へ接触方式または非接触方式で電力を供給する構成が用いられてもよい。
【０００９】
図２は、実施形態１のＥＥＰＲＯＭ１２の領域分割の一例を示す図である。
ＥＥＰＲＯＭ１２のデータメモリの領域は、システム領域１０１と、ユーザ領域１０２に二分される。
システム領域１０１には、ＩＣカード１を制御するために必要なデータが保持される。このデータは、例えば、ＩＣカード１の製造、発行、運用、運用終了といった製品のフェーズの情報や、ＩＣカード１の活性化時に外部に出力する初期応答であるＡＴＲ（Answer To Reset）の情報や、ファイル管理テーブルの情報などである。
ユーザ領域１０２には、定義情報領域１１１と、データ格納領域１１２が設けられる。
定義情報領域１１１には、この領域の開始番地から終了番地の方向に向かって、各ＤＦ（Dedicated File）定義情報が配置されて保持される。
また、定義情報領域１１１には、この領域の終了番地から開始番地の方向に向かって、各ＥＦ（Elementary File）定義情報が配置されて保持される。
【００１０】
図３は、実施形態１のＩＣカード１に複数のＤＦが登録されている場合にデータ格納領域１１２に構築されるファイルの構造とそのファイルの種別の一例を示す図である。この例は、ＩＳＯ／ＩＥＣ７８１６−４に規定される規格に基づいている。
図３の例では、ツリー状のファイル構造の根幹（ルート）に位置するＤＦであるＭＦ（Master File）２０１の配下に、ＤＦ２０２が登録されている。ＤＦ２０２の配下には、個々のアプリケーションで使用されるデータを格納するＥＦ２０３、２０４が配置されている。
各ＤＦは、定義情報領域１１１に、ＤＦ定義情報を持つ。ＤＦ定義情報には、そのＤＦの種別が設定されている。
各ＥＦは、定義情報領域１１１に、ＥＦ定義情報を持つ。ＥＦ定義情報には、そのＥＦの種別が設定されている。
【００１１】
このように、ＥＥＰＲＯＭ１２には、ＭＦ、ＤＦ、ＥＦを含むツリー状のファイル構造が構築される。
なお、ＤＦは、一種のフォルダに相当するものであり、その配下にＤＦとＥＦを配置することが可能である。また、ＥＦは、一種のファイルに相当するものであり、データを格納することが可能である。
【００１２】
次に、実施形態１の通信システム３１１について説明する。
図４は、実施形態１の通信システム３１１の構成を示すブロック図である。
実施形態１の通信システム３１１は、読み取り端末システム３０１と、個人番号カード３０２と、精算用カード３０３と、管理サーバ３０４を備える。
読み取り端末システム３０１は、前部端末３５１と、後部端末３５２を備える。
【００１３】
ここで、実施形態１では、公共交通機関の一例であるバスに通信システム３１１を適用した場合を示す。
読み取り端末システム３０１は、バスに搭載される。前部端末３５１は、バスの前方の扉がある出入り口のところに設置される。後部端末３５２は、バスの中央の扉がある出入り口のところに設置される。
前部端末３５１と後部端末３５２は、有線または無線により、互いに通信することが可能であり、例えば、互いの記憶情報を共有することができる。なお、前部端末３５１と後部端末３５２との通信が不要である場合には、前部端末３５１と後部端末３５２が互いに通信せずにそれぞれ独立に動作してもよい。
【００１４】
個人番号カード３０２および精算用カード３０３は、両方とも、同じ利用者により携帯される。個人番号カード３０２および精算用カード３０３は、それぞれ、ＩＣカードが用いられて実現される。実施形態１では、個人番号カード３０２および精算用カード３０３は、それぞれ別個のカードである。
個人番号カード３０２は、当該個人番号カード３０２の識別子（ＩＤ）の情報や、バスの料金の割引に関する情報である割引関連情報を記憶する。図３の例では、ＥＦ（例えば、ＥＦ２０３やＥＦ２０４）に割引関連情報が記憶されて管理される。
【００１５】
ここで、割引関連情報としては、割引を受けられることを直接に示す情報（例えば、割引自体の情報）、または、割引を受けられることを間接に示す情報（例えば、割引を特定する元となる情報）が用いられる。また、割引の金額が複数段階ある場合には、割引関連情報としては、例えば、割引を受けられる金額を直接または間接に示す情報が用いられる。
割引を受けられることを直接に示す情報としては、一例として、「割引を受けられる」という内容の情報が用いられてもよい。割引を受けられることを間接に示す情報としては、一例として、特定の条件を満たす個人情報を有する者が割引を受けられる場合には、当該個人情報（自体）が用いられてもよい。割引を受けられる金額を直接に示す情報としては、一例として、「○○円の割引を受けられる」（○○は金額を表す。）という内容の情報が用いられてもよい。割引を受けられる金額を間接に示す情報としては、一例として、複数段階のレベルのそれぞれの条件を満たす個人情報を有する者がそれぞれのレベルに応じた金額の割引を受けられる場合には、それぞれのレベルが把握される当該個人情報（自体）が用いられてもよい。
さらに、割引関連情報には、例えば、割引を受けられる有効期限を直接または間接に示す情報が含まれてもよい。なお、有効期限の情報は、例えば、有効期限のみを示す情報が設けられてもよく、または、割引を受けられるか否かを示す情報と一体化されていてもよい。
【００１６】
精算用カード３０３は、電子マネー機能付きのＩＣカードであり、当該精算用カード３０３のＩＤの情報や、精算に関する情報を記憶する。具体例として、精算用カード３０３は、内部のメモリ（図１の例では、例えば、ＲＡＭ１３）に残高の情報を記憶し、外部の読み取り端末システム３０１（例えば、前部端末３５１や後部端末３５２）により引き落とされる金額を当該残高から減算し、減算後の残高の情報を記憶する。
【００１７】
管理サーバ３０４は、実施形態１では、バスから離隔した位置に存在する管理センタに設置されている。管理サーバ３０４は、利用者に関する情報を記憶し、実施形態１では、個人番号カード３０２に関する情報や、精算用カード３０３に関する情報などを記憶する。個人番号カード３０２に関する情報としては、例えば、個人番号カード３０２のＩＤの情報や、割引関連情報などがある。精算用カード３０３に関する情報としては、例えば、精算用カード３０３のＩＤの情報や、残高情報などがある。
読み取り端末システム３０１における前部端末３５１と後部端末３５２の一方または両方は、管理サーバ３０４との間で無線を介して通信し、管理サーバ３０４から情報の更新を受けることや、管理サーバ３０４に記憶された情報を取得することなどが可能である。
他の構成例として、管理サーバ３０４の機能が読み取り端末システム３０１に一体化されて備えられてもよい。
なお、読み取り端末システム３０１と管理サーバ３０４との通信が不要である場合には、当該通信の機能が備えられなくてもよい。
【００１８】
図５は、実施形態１の前部端末３５１の構成を示すブロック図である。なお、実施形態１の後部端末３５２についても、同様である。
実施形態１の前部端末３５１は、カード通信部４０１と、運賃精算部４０２と、割引情報記憶部４０３と、割引関連情報取得部４０４と、割引対象判定部４０５と、運賃設定部４０６と、運賃出力部４０７と、ネットワーク通信部４０８を備える。
カード通信部４０１は、個人番号カード３０２と通信する機能および精算用カード３０３と通信する機能を備える。これらの通信は、実施形態１では、非接触方式で行われ、他の構成例として、一方または他方が接触方式で行われてもよい。
【００１９】
運賃精算部４０２は、カード通信部４０１と精算用カード３０３とが通信しているときに、精算用カード３０３に記憶されている残高情報について精算の処理を行う。具体的には、運賃精算部４０２は、精算用カード３０３に記憶されている残高情報を精算後の残高情報へ書き換えるように制御する。一例として、残高情報が１０００円の情報であり、バスの料金（運賃）として２００円だけ支払いをさせる場合には、残高情報を８００円（＝１０００円−２００円）の情報へ書き換える。
【００２０】
割引情報記憶部４０３は、料金の割引に関する情報を記憶する。
実施形態１では、複数段階のレベルのそれぞれの条件を満たす個人情報を有する者がそれぞれのレベルに応じた金額の割引を受けられる場合を示す。そして、個人番号カード３０２に記憶される割引関連情報として、それぞれのレベルが把握される個人情報（自体）が用いられる。
実施形態１では、割引情報記憶部４０３は、個人情報と、その個人情報に対応する割引金額の情報と、その割引の有効期限の情報とを対応付けて記憶する。なお、割引金額の情報の代わりに、割引率などの情報が用いられてもよい。
【００２１】
なお、前部端末３５１は、割引情報記憶部４０３以外にも、各種の情報を記憶する記憶部（メモリ）を備えていてもよい。
また、前部端末３５１において記憶される各種の情報は、実施形態１では、当該前部端末３５１の内部の記憶部に記憶される。他の構成例として、これらの情報の全部または一部が、外部に設けられた記憶部（一例として、管理サーバ３０４の記憶部でもよい。）に記憶されて使用されてもよい。
【００２２】
割引関連情報取得部４０４は、カード通信部４０１と個人番号カード３０２とが通信しているときに、個人番号カード３０２に記憶されている割引関連情報を読み取って取得する。
割引対象判定部４０５は、割引関連情報取得部４０４により取得された割引関連情報と、割引情報記憶部４０３に記憶された情報に基づいて、当該取得された割引関連情報が割引の対象となるか否かを判定する。実施形態１では、割引対象判定部４０５は、割引情報記憶部４０３に記憶された情報に基づいて、割引関連情報取得部４０４により取得された個人情報に対応する割引金額（０円の割引は、実質的に割引が無いため、除く。）の情報が記憶されている場合に割引の対象となると判定し、それ以外の場合に割引の対象にならないと判定する。このとき、割引対象判定部４０５は、割引の有効期限が過ぎている場合には、割引の対象にならないと判定する。
【００２３】
運賃設定部４０６は、料金（運賃）を設定する。実施形態１では、バスの運賃に関して、運賃設定部４０６は、割引対象判定部４０５により割引の対象にならないと判定された場合には、通常通りの料金を設定し、また、割引対象判定部４０５により割引の対象になると判定された場合には、通常通りの料金から割引金額を減算した結果の金額を割引後の料金として設定する。
ここで、運賃設定部４０６により設定された料金が、運賃精算部４０２により精算される。
【００２４】
運賃出力部４０７は、運賃設定部４０６により設定された料金の情報を出力する。この出力としては、例えば、画面に表示出力する構成や、音声として出力する構成が用いられる。
ネットワーク通信部４０８は、ネットワークを介して、管理サーバ３０４との間で通信する。このネットワークとしては、様々なものが用いられてもよい。
【００２５】
図６は、実施形態１の通信システム３１１における料金支払いの処理の流れの一例を示すタイムチャート図である。
実施形態１では、バスの利用者５０１が、料金割引に個人番号カード３０２を使用し、料金支払いに精算用カード３０３を使用する場合を示す。図６には、利用者５０１、読み取り端末システム３０１（前部端末３５１および後部端末３５２を含む。）、個人番号カード３０２、精算用カード３０３を示してある。
実施形態１では、バスの利用者５０１が、乗車時または降車時に、同一の端末（前部端末３５１または後部端末３５２のうちの一方）に、個人番号カード３０２をかざした後に、精算用カード３０３をかざす場合を示す。つまり、乗車時または降車時の一方のみにおける通信で料金を支払う。なお、乗車時と降車時のそれぞれにおいて使用される端末（前部端末３５１または後部端末３５２）としては、特に限定はなく、例えば、前部で料金を支払って乗車して後部で降車する構成や、後部で乗車して前部で料金を支払って降車する構成が用いられてもよい。
【００２６】
ここでは、乗車時に前部端末３５１で料金を支払う場合を例として説明する。後部端末３５２で料金を支払う場合も同様である。また、降車時に料金を支払う場合も同様である。
利用者５０１が、個人番号カード３０２を前部端末３５１の読み取り部にかざしてタッチすると（処理Ｔ１）、前部端末３５１は個人番号カード３０２に対してファイルを選択するためのセレクト（ＳＥＬＥＣＴ）コマンドを送信する（処理Ｔ２）。セレクトコマンドを受信した個人番号カード３０２は、対象となるＤＦを選択してカレントＤＦとして設定して、前部端末３５１に対してレスポンスを返す（処理Ｔ３）。ここで、対象となるＤＦは、個人情報（割引関連情報の一例）が記憶されているＤＦである。
【００２７】
次に、前部端末３５１は、個人番号カード３０２に対して、割引対象の資格情報（実施形態１では、個人情報）を取得するためのゲットデータ（ＧＥＴ  ＤＡＴＡ）コマンドを送信する（処理Ｔ４）。ゲットデータコマンドを受信した個人番号カード３０２は、個人情報をレスポンスに設定して前部端末３５１へ返す（処理Ｔ５）。
ここで、実施形態１では、個人情報には、割引のレベルを特定することが可能な情報と、割引の有効期限を特定することが可能な情報が含まれるとする。つまり、実施形態１では、これらの情報が前記したレスポンスに設定される。
【００２８】
次に、前部端末３５１は、ゲットデータコマンドから得られたレスポンスの情報（実施形態１では、個人情報）に基づいて、割引対象であると判定した場合には割引後の料金（運賃）を設定して表示し、一方、割引対象ではないと判定した場合には通常の料金（運賃）を設定して表示する。また、この表示出力に合わせて音声の案内も行う（処理Ｔ６）。
その後、利用者５０１は、精算用カード３０３を前部端末３５１の読み取り部にかざしてタッチする（処理Ｔ７）。すると、前部端末３５１は、精算用カード３０３と通信して、当該精算用カード３０３に記憶される残高情報から設定された料金を減算することで、料金の精算を行う（処理Ｔ８）。
【００２９】
このように、実施形態１では、前部端末３５１は、読み取り部にかざされた個人番号カード３０２に記憶された情報（個人情報）を読み取って記憶した後に、続けて読み取り部にかざされた精算用カード３０３の精算処理において、当該記憶した情報（個人情報）に基づく割引を適用する。
【００３０】
ここで、実施形態１では、前部端末３５１は、読み取り部に対して、個人番号カード３０２がかざされた後に、所定の期間内に、精算用カード３０３以外の検出可能なＩＣカードがかざされずに、精算用カード３０３がかざされた場合に、当該個人番号カード３０２と当該精算用カード３０３が続けてかざされたと判定し、上記のような割引に関する処理を実行する。一方、前部端末３５１は、それ以外の場合には、当該個人番号カード３０２と当該精算用カード３０３が続けてかざされていないと判定し、上記のような割引に関する処理を実行しない。なお、所定の期間としては、任意の期間が用いられてもよく、例えば、３０秒などの期間が用いられてもよい。
【００３１】
図７は、実施形態１の前部端末３５１における料金支払いの処理の流れの一例を示すフローチャート図である。図７を参照して、前部端末３５１において行われる処理のシーケンスの一例を示す。実施形態１では、乗務員５１１は、特に何もしなくてもよい。
まず、利用者５０１が持つ個人番号カード３０２には、あらかじめ、割引関連情報（実施形態１では、個人情報）を登録して記憶しておく。
前部端末３５１では、読み取り部に利用者５０１が個人番号カード３０２をかざすと（ステップＳ１）、カード通信部４０１により個人番号カード３０２と通信し、割引関連情報取得部４０４により個人番号カード３０２に記憶された個人情報を取得し、割引対象判定部４０５により割引対象であるかまたは割引非対象であるかを判定する（ステップＳ２）。次に、前部端末３５１では、運賃設定部４０６により、割引対象の判定結果に基づいて、割引料金または通常料金を設定し（ステップＳ３）、運賃出力部４０７により、設定された料金（運賃）を画面表示するとともに（ステップＳ４）、設定された料金（運賃）を音声案内する（ステップＳ５）。その後、前部端末３５１では、読み取り部に利用者５０１が精算用カード３０３をかざすと（ステップＳ６）、運賃精算部４０２により、当該前部端末３５１内に保持している料金（運賃）の情報に基づいて、料金（運賃）を精算する処理を行う（ステップＳ７）。
【００３２】
ここで、割引対象の資格情報（実施形態１では、割引関連情報の一例である個人情報）や、割引金額の情報や、割引の有効期限の情報などは、必要に応じて、管理サーバ３０４を介して更新される（ステップＳ１１）。例えば、管理サーバ３０４は、当該管理サーバ３０４の側でそれぞれの利用者に関する該当する情報が変更されると、その変更後の情報を前部端末３５１へ送信し、そして、前部端末３５１は、記憶している該当する情報を、受信した変更後の情報へ更新する。また、例えば、前部端末３５１は、必要に応じて、変更後の情報を個人番号カード３０２へ送信して、個人番号カード３０２に記憶されている該当する情報を変更後の情報へ更新する。
【００３３】
以上のように、実施形態１の通信システム３１１では、外部から提示される指示（コマンド）を解釈および実行してその結果を応答するＩＣカードが用いられた個人番号カード３０２に、割引対象となる資格を有するか否かが特定される個人情報（割引関連情報の一例）を持つファイルが記憶される。そして、前部端末３５１（後部端末３５２も同様）は、個人番号カード３０２に提示する指示により前記ファイルを対象として、個人番号カード３０２から受信した情報に応じて割引対象であるか否かを判定し、その判定結果の情報を内部に保持し、続けてＩＣカード（実施形態１では、精算用カード３０３）の処理を実行する際に前記保持した情報を利用する。
【００３４】
一構成例として、端末（実施形態１では、前部端末３５１や後部端末３５２）は、第１の携帯可能電子装置（実施形態１では、個人番号カード３０２）との通信を介して前記第１の携帯可能電子装置に記憶された情報（実施形態１では、個人情報）を取得する情報取得部（実施形態１では、割引関連情報取得部４０４）と、続けて前記第１の携帯可能電子装置および第２の携帯可能電子装置（実施形態１では、精算用カード３０３）と通信する場合に前記情報取得部により取得された情報により特定される割引に基づいて、前記第２の携帯可能電子装置との通信により精算を行う料金を設定する設定部（実施形態１では、運賃設定部４０６）と、を有する。
一構成例として、前記端末では、利用者（実施形態１では、利用者５０１）によるサービス（実施形態１では、バスのサービス）の利用開始時または利用終了時のいずれかに、前記第１の携帯可能電子装置の後に続けて前記第２の携帯可能電子装置と通信する場合に、前記情報取得部は、前記第１の携帯可能電子装置に記憶された情報を取得し、前記設定部は、前記情報取得部により取得された情報により特定される割引に基づいて、前記第２の携帯可能電子装置との通信により精算を行う料金を設定する。
【００３５】
以上のように、実施形態１の通信システム３１１では、バスにおいて、個人番号カード３０２と精算用カード３０３が続けて同一の端末（前部端末３５１または後部端末３５２）と通信する場合に、個人番号カード３０２に記憶された情報（実施形態１では、個人情報）に基づく割引を精算用カード３０３による精算に適用することにより、利用者５０１や乗務員５１１にとって簡便に、所定の情報に基づく割引を料金に適用することができる。具体的には、例えば、乗務員５１１が行っていた割引に関する証明書の目視確認や運賃の再設定などの手続きが不要であり、料金の支払いにおける一連の処理時間を短縮することができる。
【００３６】
（実施形態２）
以下、実施形態２を図面を参照して説明する。
実施形態２では、説明の便宜上、図４に示されるものと同様な構成に関し、通信システム３１１ａ、読み取り端末システム３０１ａ、前部端末３５１ａ、後部端末３５２ａ、個人番号カード３０２ａ、精算用カード３０３ａ、管理サーバ３０４ａと呼ぶ。ここで、個人番号カード３０２ａと、管理サーバ３０４ａは、それぞれ、実施形態１のものと同様である。
実施形態２では、主に、実施形態１との相違点を詳しく説明し、実施形態１と同様な点については説明を省略または簡易化する。
【００３７】
図８は、実施形態２の前部端末３５１ａの構成を示すブロック図である。なお、実施形態２の後部端末３５２ａについても、同様である。
実施形態２の前部端末３５１ａは、カード通信部６０１と、運賃精算部６０２と、割引情報記憶部６０３と、割引関連情報取得部６０４と、割引対象判定部６０５と、運賃設定部６０６と、運賃出力部６０７と、乗車場所情報通知部６０８と、前後部通信部６０９と、ネットワーク通信部６１０を備える。
【００３８】
ここで、カード通信部６０１と、運賃精算部６０２と、割引情報記憶部６０３と、割引関連情報取得部６０４と、割引対象判定部６０５と、運賃出力部６０７と、ネットワーク通信部６１０は、それぞれ、実施形態１の対応するものと同様な機能を有する。
運賃設定部６０６は、実施形態１の対応するものと同様な機能を有し、さらに、実施形態２では、乗車場所および降車場所に基づいて運賃を設定する。
乗車場所情報通知部６０８は、利用者がバスに乗車する場所（例えば、バス停）を示す情報である乗車場所情報を精算用カード３０３ａへ送信する。
前後部通信部６０９は、前部端末３５１ａと後部端末３５２ａとの間で通信する。この通信は、有線または無線で行われる。実施形態２では、この通信により、前部端末３５１ａと後部端末３５２ａは、互いに保持する情報の内容を共有して一致させる。
【００３９】
図９は、実施形態２の通信システム３１１ａにおける料金支払いの処理の流れの一例を示すタイムチャート図である。
実施形態２では、バスの利用者５０１が、料金割引に個人番号カード３０２ａを使用し、料金支払いに精算用カード３０３ａを使用する場合を示す。図９には、利用者５０１、読み取り端末システム３０１ａ（前部端末３５１ａおよび後部端末３５２ａを含む。）、個人番号カード３０２ａ、精算用カード３０３ａを示してある。実施形態２では、バスの利用者５０１が、乗車時に、同一の端末（前部端末３５１ａまたは後部端末３５２ａのうちの一方）に、個人番号カード３０２ａをかざした後に、精算用カード３０３ａをかざし、そして、降車時に、当該端末（前記した前部端末３５１ａまたは後部端末３５２ａのうちの一方）または他方の端末に、精算用カード３０３ａをかざす場合を示す。つまり、乗車時における通信と降車時における通信の両方を行って料金を支払う。なお、乗車時と降車時のそれぞれにおいて使用される端末（前部端末３５１ａまたは後部端末３５２ａ）としては、特に限定はなく、例えば、前部で乗車して後部で料金を支払って降車する構成や、後部で乗車して前部で料金を支払って降車する構成が用いられてもよい。
【００４０】
ここでは、乗車時に後部端末３５２ａで割引関連情報を通信して、降車時に前部端末３５１ａで料金を支払う場合を例として説明する。なお、乗車時に前部端末３５１ａで割引関連情報を通信して、降車時に後部端末３５２ａで料金を支払う場合も同様である。
なお、バスが存在する場所（乗車場所や降車場所）は、読み取り端末システム３０１ａにおいて把握されている。
【００４１】
まず、乗車時の処理を説明する。
利用者５０１が、個人番号カード３０２ａを後部端末３５２ａの読み取り部にかざしてタッチすると（処理Ｔ２１）、後部端末３５２ａは個人番号カード３０２ａに対してファイルを選択するためのセレクト（ＳＥＬＥＣＴ）コマンドを送信する（処理Ｔ２２）。セレクトコマンドを受信した個人番号カード３０２ａは、対象となるＤＦを選択してカレントＤＦとして設定して、後部端末３５２ａに対してレスポンスを返す（処理Ｔ２３）。ここで、対象となるＤＦは、個人情報（割引関連情報の一例）が記憶されているＤＦである。
【００４２】
次に、後部端末３５２ａは、個人番号カード３０２ａに対して、割引対象の資格情報（実施形態２では、個人情報）を取得するためのゲットデータ（ＧＥＴ  ＤＡＴＡ）コマンドを送信する（処理Ｔ２４）。ゲットデータコマンドを受信した個人番号カード３０２ａは、個人情報をレスポンスに設定して後部端末３５２ａへ返す（処理Ｔ２５）。
ここで、実施形態２では、個人情報には、割引のレベルを特定することが可能な情報と、割引の有効期限を特定することが可能な情報が含まれるとする。
【００４３】
その後、利用者５０１は、精算用カード３０３ａを後部端末３５２ａの読み取り部にかざしてタッチする（処理Ｔ２６）。すると、後部端末３５２ａは、精算用カード３０３ａと通信して、当該精算用カード３０３ａへ乗車場所の情報を送信する（処理Ｔ２７）。乗車場所の情報を受信した精算用カード３０３ａは、受信した乗車場所の情報を記憶する（処理Ｔ２８）。
また、後部端末２５２ａは、個人番号カード３０２ａから受信した個人情報またはその個人情報に基づいて特定される割引に関する情報（ここでは、いずれも、割引特定情報と呼ぶ。）を、続けてかざされた精算用カード３０３ａのＩＤの情報と対応付けて記憶する（処理Ｔ２９）。ここで、後部端末２５２ａは、精算用カード３０３ａと通信するときに、当該精算用カード３０３ａのＩＤの情報を取得している。なお、割引特定情報は、割引情報記憶部６０３に記憶されてもよく、あるいは、他の記憶部に記憶されてもよい。
【００４４】
次いで、降車時の処理を説明する。
利用者５０１は、精算用カード３０３ａを前部端末３５１ａの読み取り部にかざしてタッチする（処理Ｔ３０）。すると、前部端末３５１ａは、精算用カード３０３ａと通信して、当該精算用カード３０３ａに記憶された乗車場所の情報を受信し、受信した乗車場所の情報と降車場所の情報に基づいて料金（運賃）を設定し、当該精算用カード３０３ａに記憶される残高情報から設定された料金を減算することで、料金の精算を行う（処理Ｔ３１）。ここで、前部端末３５１ａは、精算用カード３０３ａのＩＤの情報と割引特定情報との対応の情報を後部端末３５２ａから受信して、この情報に基づいて、料金（運賃）を設定する。
また、前部端末３５１ａは、割引対象であると判定した場合には割引後の料金（運賃）を設定して表示し、一方、割引対象ではないと判定した場合には通常の料金（運賃）を設定して表示する。また、この表示出力に合わせて音声の案内も行う（処理Ｔ３２）。
【００４５】
このように、実施形態２では、読み取り端末システム３０１ａ（前部端末３５１ａおよび後部端末３５２ａ）は、乗車時に、読み取り部にかざされた個人番号カード３０２ａに記憶された情報（個人情報）を読み取って、続けて読み取り部にかざされた精算用カード３０３ａのＩＤの情報と当該個人情報に基づく割引特定情報とを対応付けて記憶し、その後、降車時に、精算用カード３０３ａの精算処理において、当該記憶した割引特定情報に基づく割引を適用する。
なお、実施形態２では、乗車場所と降車場所の組み合わせにより料金（運賃）が異なり得る場合を示した。他の構成例として、乗車場所や降車場所によらずに一定の金額の料金（運賃）である場合には、乗車場所の情報や降車場所の情報が用いられなくてもよい。
【００４６】
ここで、実施形態２では、後部端末３５２ａは、読み取り部に対して、個人番号カード３０２ａがかざされた後に、所定の期間内に、精算用カード３０３ａ以外の検出可能なＩＣカードがかざされずに、精算用カード３０３ａがかざされた場合に、当該個人番号カード３０２ａと当該精算用カード３０３ａが続けてかざされたと判定し、上記のような割引に関する処理を実行する。一方、後部端末３５２ａは、それ以外の場合には、当該個人番号カード３０２ａと当該精算用カード３０３ａが続けてかざされていないと判定し、上記のような割引に関する処理を実行しない。なお、所定の期間としては、任意の期間が用いられてもよく、例えば、３０秒などの期間が用いられてもよい。
【００４７】
図１０は、実施形態２の読み取り端末システム３０１ａにおける料金支払いの処理の流れの一例を示すフローチャート図である。図１０を参照して、読み取り端末システム３０１ａにおいて行われる処理のシーケンスの一例を示す。実施形態２では、乗務員５１１は、特に何もしなくてもよい。
まず、利用者５０１が持つ個人番号カード３０２ａには、あらかじめ、割引関連情報（実施形態２では、個人情報）を登録して記憶しておく。
乗車時において、後部端末３５２ａでは、読み取り部に利用者５０１が個人番号カード３０２ａをかざすと（ステップＳ３１）、カード通信部６０１により個人番号カード３０２ａと通信し、割引関連情報取得部６０４により個人番号カード３０２ａに記憶された個人情報を取得し、割引対象判定部６０５により割引対象であるかまたは割引非対象であるかを判定する（ステップＳ３２）。後部端末３５２ａでは、割引対象である場合には、割引特定情報を記憶する（ステップＳ３３）。続いて、後部端末３５２ａでは、読み取り部に利用者５０１が精算用カード３０３ａをかざすと（ステップＳ３４）、乗車場所情報通知部６０８により、精算用カード３０３ａに乗車場所の情報を通知して記憶させる（ステップＳ３５）。また、後部端末３５２ａでは、記憶した割引特定情報に対応付けて、精算用カード３０３ａのＩＤの情報を記憶する。
【００４８】
降車時において、前部端末３５１ａでは、読み取り部に利用者５０１が精算用カード３０３ａをかざすと（ステップＳ３６）、運賃設定部６０６により、当該精算用カード３０３ａのＩＤの情報に対応して記憶されている割引特定情報に基づいて、割引料金または通常料金を設定して、運賃精算部６０２により、料金（運賃）を精算する処理を行う（ステップＳ３７）。また、前部端末３５１ａでは、運賃出力部６０７により、設定された料金（運賃）を画面表示するとともに（ステップＳ３８）、設定された料金（運賃）を音声案内する（ステップＳ３９）。
【００４９】
ここで、割引対象の資格情報（実施形態２では、割引関連情報の一例である個人情報）や、割引金額の情報や、割引の有効期限の情報などは、必要に応じて、管理サーバ３０４ａを介して更新される（ステップＳ４１）。
【００５０】
なお、実施形態２では、利用者５０１が支払うべき料金の情報を出力（表示や音声出力）する構成を示した。例えば、乗車場所および降車場所の組み合わせが未確定であるために利用者５０１が支払うべき料金が未確定であるが、割引対象であるか否かが確定したとき（例えば、乗車時）に、割引対象であれば所定の基本料金（例えば、乗降場所によらない最低料金）に対して割引を適用した結果の料金を出力し、割引対象でなければ所定の基本料金を出力する構成が用いられてもよい。
【００５１】
一構成例として、端末（実施形態２では、前部端末３５１ａや後部端末３５２ａ）では、情報取得部（実施形態２では、割引関連情報取得部６０４）により取得された情報または当該情報により特定される割引の情報を記憶する記憶部（実施形態２では、割引情報記憶部６０３）を有し、利用者（実施形態２では、利用者５０１）によるサービス（実施形態２では、バスのサービス）の利用開始時に、第１の携帯可能電子装置（実施形態２では、個人番号カード３０２ａ）の後に続けて第２の携帯可能電子装置（実施形態２では、精算用カード３０３ａ）と通信する場合に、前記情報取得部は、前記第１の携帯可能電子装置に記憶された情報（実施形態２では、個人情報）を取得し、前記記憶部は、前記情報取得部により取得された情報または当該情報により特定される割引の情報を記憶し、前記利用者による前記サービスの利用終了時に、前記第２の携帯可能電子装置と通信する場合に、設定部（実施形態２では、運賃設定部６０６）は、前記記憶部に記憶された情報を用いることで、前記情報取得部により取得された情報により特定される割引に基づいて、前記第２の携帯可能電子装置との通信により精算を行う料金を設定する。
一構成例として、前記端末では、前記サービスは、前記利用者を運搬するサービス（実施形態２では、バスのサービス）であり、前記設定部は、さらに、前記サービスの利用開始時における場所（実施形態２では、乗車場所）の情報および前記サービスの利用終了時における場所（実施形態２では、降車場所）の情報に基づいて、前記第２の携帯可能電子装置との通信により精算を行う料金を設定する。
【００５２】
以上のように、実施形態２の通信システム３１１ａでは、バスにおいて、個人番号カード３０２ａと精算用カード３０３ａが続けて同一の端末（前部端末３５１ａまたは後部端末３５２ａ）と通信する場合に、個人番号カード３０２ａに記憶された情報（実施形態２では、個人情報）に基づく割引を精算用カード３０３ａによる精算に適用することにより、利用者５０１や乗務員５１１にとって簡便に、所定の情報に基づく割引を料金に適用することができる。
【００５３】
（実施形態３）
以下、実施形態３を図面を参照して説明する。
実施形態３では、説明の便宜上、図４に示されるものと同様な構成に関し、通信システム３１１ｂ、読み取り端末システム３０１ｂ、前部端末３５１ｂ、後部端末３５２ｂ、個人番号カード３０２ｂ、精算用カード３０３ｂ、管理サーバ３０４ｂと呼ぶ。ここで、個人番号カード３０２ｂと、管理サーバ３０４ｂは、それぞれ、実施形態１のものと同様である。
実施形態３では、主に、実施形態１との相違点を詳しく説明し、実施形態１と同様な点については説明を省略または簡易化する。
【００５４】
図１１は、実施形態３の前部端末３５１ｂの構成を示すブロック図である。なお、実施形態３の後部端末３５２ｂについても、同様である。
実施形態３の前部端末３５１ｂは、カード通信部７０１と、運賃精算部７０２と、割引情報記憶部７０３と、割引関連情報取得部７０４と、割引対象判定部７０５と、運賃設定部７０６と、運賃出力部７０７と、乗車場所情報通知部７０８と、前後部通信部７０９と、ネットワーク通信部７１０と、割引特定情報通知部７１１を備える。
【００５５】
ここで、カード通信部７０１と、運賃精算部７０２と、割引情報記憶部７０３と、割引関連情報取得部７０４と、割引対象判定部７０５と、運賃出力部７０７と、ネットワーク通信部７１０は、それぞれ、実施形態１の対応するものと同様な機能を有する。
割引特定情報通知部７１１は、個人情報またはその個人情報に基づいて特定される割引に関する情報（ここでは、いずれも、割引特定情報と呼ぶ。）を精算用カード３０３ｂへ通知する。
運賃設定部７０６は、実施形態１の対応するものと同様な機能を有し、さらに、実施形態３では、乗車場所および降車場所に基づいて運賃を設定する。
乗車場所情報通知部７０８は、利用者がバスに乗車する場所（例えば、バス停）を示す情報である乗車場所情報を精算用カード３０３ｂへ送信する。
前後部通信部７０９は、前部端末３５１ｂと後部端末３５２ｂとの間で通信する。この通信は、有線または無線で行われる。実施形態３では、この通信により、前部端末３５１ｂと後部端末３５２ｂは、互いに保持する情報の内容を共有して一致させる。
【００５６】
図１２は、実施形態３の精算用カード３０３ｂの構成を示すブロック図である。
実施形態３の精算用カード３０３ｂは、通信部７５１と、記憶部７５２と、処理部７５３を備える。
記憶部７５２は、識別情報記憶部７７１と、金額情報記憶部７７２と、乗車場所情報記憶部７７３（場所情報記憶部の一例）と、割引特定情報記憶部７７４を有する。
【００５７】
通信部７５１は、前部端末３５１ｂや後部端末３５２ｂとの間で通信する。なお、図１の例を用いると、通信部７５１は、図１に示される通信部１５に対応する。
記憶部７５２は、各種の情報を記憶する。実施形態３では、識別情報記憶部７７１は精算用カード３０３ｂのＩＤの情報を記憶し、金額情報記憶部７７２は残高の金額の情報（残高情報）を記憶し、乗車場所情報記憶部７７３は乗車場所の情報を記憶し、割引特定情報記憶部７７４は割引特定情報を記憶する。なお、図１の例を用いると、記憶部７５２は、図１に示されるＥＥＰＲＯＭ１２やＲＡＭ１３やＲＯＭ１４に対応する。
処理部７５３は、各種の処理を実行する。なお、図１の例を用いると、処理部７５３は、図１に示される制御素子１１に対応する。
【００５８】
図１３は、実施形態３の通信システム３１１ｂにおける料金支払いの処理の流れの一例を示すタイムチャート図である。
実施形態３では、バスの利用者５０１が、料金割引に個人番号カード３０２ｂを使用し、料金支払いに精算用カード３０３ｂを使用する場合を示す。図１３には、利用者５０１、読み取り端末システム３０１ｂ（前部端末３５１ｂおよび後部端末３５２ｂを含む。）、個人番号カード３０２ｂ、精算用カード３０３ｂを示してある。実施形態３では、バスの利用者５０１が、乗車時に、同一の端末（前部端末３５１ｂまたは後部端末３５２ｂのうちの一方）に、個人番号カード３０２ｂをかざした後に、精算用カード３０３ｂをかざし、そして、降車時に、当該端末（前記した前部端末３５１ｂまたは後部端末３５２ｂのうちの一方）または他方の端末に、精算用カード３０３ｂをかざす場合を示す。つまり、乗車時における通信と降車時における通信の両方を行って料金を支払う。なお、乗車時と降車時のそれぞれにおいて使用される端末（前部端末３５１ｂまたは後部端末３５２ｂ）としては、特に限定はなく、例えば、前部で乗車して後部で料金を支払って降車する構成や、後部で乗車して前部で料金を支払って降車する構成が用いられてもよい。
【００５９】
ここでは、乗車時に後部端末３５２ｂで割引関連情報を通信して、降車時に前部端末３５１ｂで料金を支払う場合を例として説明する。なお、乗車時に前部端末３５１ｂで割引関連情報を通信して、降車時に後部端末３５２ｂで料金を支払う場合も同様である。
なお、バスが存在する場所（乗車場所や降車場所）は、読み取り端末システム３０１ｂにおいて把握されている。
【００６０】
まず、乗車時の処理を説明する。
利用者５０１が、個人番号カード３０２ｂを後部端末３５２ｂの読み取り部にかざしてタッチすると（処理Ｔ５１）、後部端末３５２ｂは個人番号カード３０２ｂに対してファイルを選択するためのセレクト（ＳＥＬＥＣＴ）コマンドを送信する（処理Ｔ５２）。セレクトコマンドを受信した個人番号カード３０２ｂは、対象となるＤＦを選択してカレントＤＦとして設定して、後部端末３５２ｂに対してレスポンスを返す（処理Ｔ５３）。ここで、対象となるＤＦは、個人情報（割引関連情報の一例）が記憶されているＤＦである。
【００６１】
次に、後部端末３５２ｂは、個人番号カード３０２ｂに対して、割引対象の資格情報（実施形態３では、個人情報）を取得するためのゲットデータ（ＧＥＴ  ＤＡＴＡ）コマンドを送信する（処理Ｔ５４）。ゲットデータコマンドを受信した個人番号カード３０２ｂは、個人情報をレスポンスに設定して後部端末３５２ｂへ返す（処理Ｔ５５）。
ここで、実施形態３では、個人情報には、割引のレベルを特定することが可能な情報と、割引の有効期限を特定することが可能な情報が含まれるとする。
【００６２】
その後、利用者５０１は、精算用カード３０３ｂを後部端末３５２ｂの読み取り部にかざしてタッチする（処理Ｔ５６）。すると、後部端末３５２ｂは、精算用カード３０３ｂと通信して、当該精算用カード３０３ｂへ乗車場所の情報を送信するとともに（処理Ｔ５７）、当該精算用カード３０３ｂへ個人番号カード３０２ｂから受信した個人情報に基づく割引特定情報を送信する。乗車場所の情報および割引特定情報を受信した精算用カード３０３ｂは、受信した乗車場所の情報を記憶するとともに（処理Ｔ５８）、受信した割引特定情報を記憶する（処理Ｔ５９）。
【００６３】
次いで、降車時の処理を説明する。
利用者５０１は、精算用カード３０３ｂを前部端末３５１ｂの読み取り部にかざしてタッチする（処理Ｔ６０）。すると、前部端末３５１ｂは、精算用カード３０３ｂと通信して、当該精算用カード３０３ｂに記憶された乗車場所の情報および割引特定情報を受信し、受信した乗車場所の情報および割引特定情報と降車場所の情報に基づいて料金（運賃）を設定し、当該精算用カード３０３ｂに記憶される残高情報から設定された料金を減算することで、料金の精算を行う（処理Ｔ６１）。
また、前部端末３５１ｂは、割引対象であると判定した場合には割引後の料金（運賃）を設定して表示し、一方、割引対象ではないと判定した場合には通常の料金（運賃）を設定して表示する。また、この表示出力に合わせて音声の案内も行う（処理Ｔ６２）。
【００６４】
このように、実施形態３では、読み取り端末システム３０１ｂ（前部端末３５１ｂおよび後部端末３５２ｂ）は、乗車時に、読み取り部にかざされた個人番号カード３０２ｂに記憶された情報（個人情報）を読み取って、続けて読み取り部にかざされた精算用カード３０３ｂへ当該個人情報に基づく割引特定情報を通知し、その後、降車時に、精算用カード３０３ｂの精算処理において、当該精算用カード３０３ｂに記憶された割引特定情報に基づく割引を適用する。
なお、実施形態３では、乗車場所と降車場所の組み合わせにより料金（運賃）が異なり得る場合を示した。他の構成例として、乗車場所や降車場所によらずに一定の金額の料金（運賃）である場合には、乗車場所の情報や降車場所の情報が用いられなくてもよい。
【００６５】
ここで、実施形態３では、後部端末３５２ｂは、読み取り部に対して、個人番号カード３０２ｂがかざされた後に、所定の期間内に、精算用カード３０３ｂ以外の検出可能なＩＣカードがかざされずに、精算用カード３０３ｂがかざされた場合に、当該個人番号カード３０２ｂと当該精算用カード３０３ｂが続けてかざされたと判定し、上記のような割引に関する処理を実行する。一方、後部端末３５２ｂは、それ以外の場合には、当該個人番号カード３０２ｂと当該精算用カード３０３ｂが続けてかざされていないと判定し、上記のような割引に関する処理を実行しない。なお、所定の期間としては、任意の期間が用いられてもよく、例えば、３０秒などの期間が用いられてもよい。
【００６６】
図１４は、実施形態３の読み取り端末システム３０１ｂにおける料金支払いの処理の流れの一例を示すフローチャート図である。図１４を参照して、読み取り端末システム３０１ｂにおいて行われる処理のシーケンスの一例を示す。実施形態３では、乗務員５１１は、特に何もしなくてもよい。
まず、利用者５０１が持つ個人番号カード３０２ｂには、あらかじめ、割引関連情報（実施形態３では、個人情報）を登録して記憶しておく。
乗車時において、後部端末３５２ｂでは、読み取り部に利用者５０１が個人番号カード３０２ｂをかざすと（ステップＳ６１）、カード通信部７０１により個人番号カード３０２ｂと通信し、割引関連情報取得部７０４により個人番号カード３０２ｂに記憶された個人情報を取得し、割引対象判定部７０５により割引対象であるかまたは割引非対象であるかを判定する（ステップＳ６２）。続いて、後部端末３５２ｂでは、読み取り部に利用者５０１が精算用カード３０３ｂをかざすと（ステップＳ６３）、乗車場所情報通知部７０８により、精算用カード３０３ｂに乗車場所の情報を通知して記憶させるとともに（ステップＳ６４）、割引特定情報通知部７１１により、精算用カード３０３ｂに割引特定情報を通知して記憶させる（ステップＳ６５）。
【００６７】
降車時において、前部端末３５１ｂでは、読み取り部に利用者５０１が精算用カード３０３ｂをかざすと（ステップＳ６６）、運賃設定部７０６により、精算用カード３０３ｂに記憶された割引特定情報に基づいて、割引料金または通常料金を設定して、運賃精算部７０２により、料金（運賃）を精算する処理を行う（ステップＳ６７）。また、前部端末３５１ｂでは、運賃出力部７０７により、設定された料金（運賃）を画面表示するとともに（ステップＳ６８）、設定された料金（運賃）を音声案内する（ステップＳ６９）。
【００６８】
ここで、割引対象の資格情報（実施形態３では、割引関連情報の一例である個人情報）や、割引金額の情報や、割引の有効期限の情報などは、必要に応じて、管理サーバ３０４ｂを介して更新される（ステップＳ７１）。
【００６９】
なお、図１４の例では、後部端末３５２ｂが、個人番号カード３０２ｂから読み取った個人情報に基づいて割引特定情報を判定して、当該割引特定情報を精算用カード３０３ｂに記憶させ、その後、前部端末３５１ｂが、当該精算用カード３０３ｂに記憶された割引特定情報に基づいて料金（運賃）を設定する構成を示した。他の構成例として、後部端末３５２ｂが、個人番号カード３０２ｂから読み取った個人情報を精算用カード３０３ｂに記憶させ、その後、前部端末３５１ｂが、当該精算用カード３０３ｂに記憶された個人情報に基づいて割引特定情報を判定し、当該判定した割引特定情報に基づいて料金（運賃）を設定する構成が用いられてもよい。
【００７０】
また、実施形態３では、利用者５０１が支払うべき料金の情報を出力（表示や音声出力）する構成を示した。例えば、乗車場所および降車場所の組み合わせが未確定であるために利用者５０１が支払うべき料金が未確定であるが、割引対象であるか否かが確定したとき（例えば、乗車時）に、割引対象であれば所定の基本料金（例えば、乗降場所によらない最低料金）に対して割引を適用した結果の料金を出力し、割引対象でなければ所定の基本料金を出力する構成が用いられてもよい。
【００７１】
一構成例として、端末（実施形態３では、前部端末３５１ｂや後部端末３５２ｂ）では、第２の携帯可能電子装置（実施形態３では、精算用カード３０３ｂ）との通信を介して、情報取得部（実施形態３では、割引関連情報取得部７０４）により取得された情報または当該情報により特定される割引の情報を前記第２の携帯可能電子装置へ通知する通知部（実施形態３では、割引特定情報通知部７１１）を有し、利用者（実施形態３では、利用者５０１）によるサービス（実施形態３では、バスのサービス）の利用開始時に、第１の携帯可能電子装置（実施形態３では、個人番号カード３０２ｂ）の後に続けて前記第２の携帯可能電子装置と通信する場合に、前記情報取得部は、前記第１の携帯可能電子装置に記憶された情報（実施形態３では、個人情報）を取得し、前記通知部は、前記情報取得部により取得された情報または当該情報により特定される割引の情報を前記第２の携帯可能電子装置へ通知し、前記利用者による前記サービスの利用終了時に、前記第２の携帯可能電子装置と通信する場合に、設定部（実施形態３では、運賃設定部７０６）は、前記通知部により前記第２の携帯可能電子装置へ通知された情報を用いることで、前記情報取得部により取得された情報により特定される割引に基づいて、前記第２の携帯可能電子装置との通信により精算を行う料金を設定する。
一構成例として、前記端末では、前記サービスは、前記利用者を運搬するサービス（実施形態３では、バスのサービス）であり、前記設定部は、さらに、前記サービスの利用開始時における場所（実施形態３では、乗車場所）の情報および前記サービスの利用終了時における場所（実施形態３では、降車場所）の情報に基づいて、前記第２の携帯可能電子装置との通信により精算を行う料金を設定する。
【００７２】
以上のように、実施形態３の通信システム３１１ｂでは、バスにおいて、個人番号カード３０２ｂと精算用カード３０３ｂが続けて同一の端末（前部端末３５１ｂまたは後部端末３５２ｂ）と通信する場合に、個人番号カード３０２ｂに記憶された情報（実施形態３では、個人情報）に基づく割引を精算用カード３０３ｂによる精算に適用することにより、利用者５０１や乗務員５１１にとって簡便に、所定の情報に基づく割引を料金に適用することができる。
【００７３】
（実施形態４）
以下、実施形態４を図面を参照して説明する。
実施形態４では、説明の便宜上、図４に示されるものと同様な構成に関し、通信システム３１１ｃ、読み取り端末システム３０１ｃ、前部端末３５１ｃ、後部端末３５２ｃ、個人番号カード３０２ｃ、精算用カード３０３ｃ、管理サーバ３０４ｃと呼ぶ。ここで、個人番号カード３０２ｃと、管理サーバ３０４ｃは、それぞれ、実施形態１のものと同様である。
実施形態４では、主に、実施形態１との相違点を詳しく説明し、実施形態１と同様な点については説明を省略または簡易化する。
【００７４】
ここで、実施形態４の前部端末３５１ｃ（および後部端末３５２ｃ）は、概略的には、実施形態２に係る図８に示されるものと同様な機能を有する。
実施形態４の通信システム３１１ｃにおける全体的な処理の流れは、概略的には、実施形態２における処理の流れと比べて、一部の処理の順序が異なるものとなっている。
【００７５】
図１５は、実施形態４の通信システム３１１ｃにおける料金支払いの処理の流れの一例を示すタイムチャート図である。
実施形態４では、バスの利用者５０１が、料金割引に個人番号カード３０２ｃを使用し、料金支払いに精算用カード３０３ｃを使用する場合を示す。図１５には、利用者５０１、読み取り端末システム３０１ｃ（前部端末３５１ｃおよび後部端末３５２ｃを含む。）、個人番号カード３０２ｃ、精算用カード３０３ｃを示してある。実施形態４では、バスの利用者５０１が、乗車時に、同一の端末（前部端末３５１ｃまたは後部端末３５２ｃのうちの一方）に、精算用カード３０３ｃをかざした後に、個人番号カード３０２ｃをかざし、そして、降車時に、当該端末（前記した前部端末３５１ｃまたは後部端末３５２ｃのうちの一方）または他方の端末に、精算用カード３０３ｃをかざす場合を示す。つまり、乗車時における通信と降車時における通信の両方を行って料金を支払う。なお、乗車時と降車時のそれぞれにおいて使用される端末（前部端末３５１ｃまたは後部端末３５２ｃ）としては、特に限定はなく、例えば、前部で乗車して後部で料金を支払って降車する構成や、後部で乗車して前部で料金を支払って降車する構成が用いられてもよい。
【００７６】
ここでは、乗車時に後部端末３５２ｃで割引関連情報を通信して、降車時に前部端末３５１ｃで料金を支払う場合を例として説明する。なお、乗車時に前部端末３５１ｃで割引関連情報を通信して、降車時に後部端末３５２ｃで料金を支払う場合も同様である。
なお、バスが存在する場所（乗車場所や降車場所）は、読み取り端末システム３０１ｃにおいて把握されている。
【００７７】
まず、乗車時の処理を説明する。
利用者５０１が、精算用カード３０３ｃを後部端末３５２ｃの読み取り部にかざしてタッチする（処理Ｔ８１）。すると、後部端末３５２ｃは、精算用カード３０３ｃと通信して、当該精算用カード３０３ｃへ乗車場所の情報を送信する（処理Ｔ８２）。乗車場所の情報を受信した精算用カード３０３ｃは、受信した乗車場所の情報を記憶する（処理Ｔ８３）。また、後部端末２５２ｃは、精算用カード３０３ｃと通信するときに、当該精算用カード３０３ｃのＩＤの情報を取得して記憶する。
【００７８】
その後、利用者５０１は、個人番号カード３０２ｃを後部端末３５２ｃの読み取り部にかざしてタッチすると（処理Ｔ８４）、後部端末３５２ｃは個人番号カード３０２ｃに対してファイルを選択するためのセレクト（ＳＥＬＥＣＴ）コマンドを送信する（処理Ｔ８５）。セレクトコマンドを受信した個人番号カード３０２ｃは、対象となるＤＦを選択してカレントＤＦとして設定して、後部端末３５２ｃに対してレスポンスを返す（処理Ｔ８６）。ここで、対象となるＤＦは、個人情報（割引関連情報の一例）が記憶されているＤＦである。
【００７９】
次に、後部端末３５２ｃは、個人番号カード３０２ｃに対して、割引対象の資格情報（実施形態４では、個人情報）を取得するためのゲットデータ（ＧＥＴ  ＤＡＴＡ）コマンドを送信する（処理Ｔ８７）。ゲットデータコマンドを受信した個人番号カード３０２ｃは、個人情報をレスポンスに設定して後部端末３５２ｃへ返す（処理Ｔ８８）。
ここで、実施形態４では、個人情報には、割引のレベルを特定することが可能な情報と、割引の有効期限を特定することが可能な情報が含まれるとする。
【００８０】
また、後部端末２５２ｃは、個人番号カード３０２ｃから受信した個人情報またはその個人情報に基づいて特定される割引に関する情報（ここでは、いずれも、割引特定情報と呼ぶ。）を、個人番号カード３０２ｃより前に続けてかざされている精算用カード３０３ｃのＩＤの情報と対応付けて記憶する（処理Ｔ８９）。
【００８１】
次いで、降車時の処理を説明する。
利用者５０１は、精算用カード３０３ｃを前部端末３５１ｃの読み取り部にかざしてタッチする（処理Ｔ９０）。すると、前部端末３５１ｃは、精算用カード３０３ｃと通信して、当該精算用カード３０３ｃに記憶された乗車場所の情報を受信し、受信した乗車場所の情報と降車場所の情報に基づいて料金（運賃）を設定し、当該精算用カード３０３ｃに記憶される残高情報から設定された料金を減算することで、料金の精算を行う（処理Ｔ９１）。ここで、前部端末３５１ｃは、精算用カード３０３ｃのＩＤの情報と割引特定情報との対応の情報を後部端末３５２ｃから受信して、この情報に基づいて、料金（運賃）を設定する。
また、前部端末３５１ｃは、割引対象であると判定した場合には割引後の料金（運賃）を設定して表示し、一方、割引対象ではないと判定した場合には通常の料金（運賃）を設定して表示する。また、この表示出力に合わせて音声の案内も行う（処理Ｔ９２）。
【００８２】
このように、実施形態４では、読み取り端末システム３０１ｃ（前部端末３５１ｃおよび後部端末３５２ｃ）は、乗車時に、読み取り部にかざされた精算用カード３０３ｃのＩＤの情報と、続けて読み取り部にかざされた個人番号カード３０２ｃに記憶された情報（個人情報）に基づく割引特定情報とを対応付けて記憶し、その後、降車時に、精算用カード３０３ｃの精算処理において、当該記憶した割引特定情報に基づく割引を適用する。
なお、実施形態４では、乗車場所と降車場所の組み合わせにより料金（運賃）が異なり得る場合を示した。他の構成例として、乗車場所や降車場所によらずに一定の金額の料金（運賃）である場合には、乗車場所の情報や降車場所の情報が用いられなくてもよい。
【００８３】
ここで、実施形態４では、後部端末３５２ｃは、読み取り部に対して、精算用カード３０３ｃがかざされた後に、所定の期間内に、個人番号カード３０２ｃ以外の検出可能なＩＣカードがかざされずに、個人番号カード３０２ｃがかざされた場合に、当該精算用カード３０３ｃと当該個人番号カード３０２ｃが続けてかざされたと判定し、上記のような割引に関する処理を実行する。一方、後部端末３５２ｃは、それ以外の場合には、当該精算用カード３０３ｃと当該個人番号カード３０２ｃが続けてかざされていないと判定し、上記のような割引に関する処理を実行しない。なお、所定の期間としては、任意の期間が用いられてもよく、例えば、３０秒などの期間が用いられてもよい。
【００８４】
図１６は、実施形態４の読み取り端末システム３０１ｃにおける料金支払いの処理の流れの一例を示すフローチャート図である。図１６を参照して、読み取り端末システム３０１ｃにおいて行われる処理のシーケンスの一例を示す。実施形態４では、乗務員５１１は、特に何もしなくてもよい。
まず、利用者５０１が持つ個人番号カード３０２ｃには、あらかじめ、割引関連情報（実施形態４では、個人情報）を登録して記憶しておく。
乗車時において、後部端末３５２ｃでは、読み取り部に利用者５０１が精算用カード３０３ｃをかざすと（ステップＳ１０１）、当該精算用カード３０３ｃに乗車場所の情報を通知して記憶させる（ステップＳ１０２）。続いて、後部端末３５２ｃでは、読み取り部に利用者５０１が個人番号カード３０２ｃをかざすと（ステップＳ１０３）、当該個人番号カード３０２ｃと通信し、当該個人番号カード３０２ｃに記憶された個人情報を取得し、割引対象であるかまたは割引非対象であるかを判定する（ステップＳ１０４）。後部端末３５２ｃでは、割引対象である場合には、割引特定情報を記憶する（ステップＳ１０５）。
【００８５】
降車時において、前部端末３５１ｃでは、読み取り部に利用者５０１が精算用カード３０３ｃをかざすと（ステップＳ１０６）、当該精算用カード３０３ｃのＩＤの情報に対応して記憶されている割引特定情報に基づいて、割引料金または通常料金を設定して、料金（運賃）を精算する処理を行う（ステップＳ１０７）。また、前部端末３５１ｃでは、設定された料金（運賃）を画面表示するとともに（ステップＳ１０８）、設定された料金（運賃）を音声案内する（ステップＳ１０９）。
【００８６】
ここで、割引対象の資格情報（実施形態４では、割引関連情報の一例である個人情報）や、割引金額の情報や、割引の有効期限の情報などは、必要に応じて、管理サーバ３０４ｃを介して更新される（ステップＳ１１１）。
【００８７】
なお、実施形態４では、利用者５０１が支払うべき料金の情報を出力（表示や音声出力）する構成を示した。例えば、乗車場所および降車場所の組み合わせが未確定であるために利用者５０１が支払うべき料金が未確定であるが、割引対象であるか否かが確定したとき（例えば、乗車時）に、割引対象であれば所定の基本料金（例えば、乗降場所によらない最低料金）に対して割引を適用した結果の料金を出力し、割引対象でなければ所定の基本料金を出力する構成が用いられてもよい。
【００８８】
一構成例として、端末（実施形態４では、前部端末３５１ｃや後部端末３５２ｃ）では、情報取得部により取得された情報または当該情報により特定される割引の情報を記憶する記憶部を有し、利用者（実施形態４では、利用者５０１）によるサービス（実施形態４では、バスのサービス）の利用開始時に、第２の携帯可能電子装置（実施形態４では、精算用カード３０３ｃ）の後に続けて第１の携帯可能電子装置（実施形態４では、個人番号カード３０２ｃ）と通信する場合に、前記情報取得部は、前記第１の携帯可能電子装置に記憶された情報を取得し、前記記憶部は、前記情報取得部により取得された情報または当該情報により特定される割引の情報を記憶し、前記利用者による前記サービスの利用終了時に、前記第２の携帯可能電子装置と通信する場合に、設定部は、前記記憶部に記憶された情報を用いることで、前記情報取得部により取得された情報により特定される割引に基づいて、前記第２の携帯可能電子装置との通信により精算を行う料金を設定する。
一構成例として、端末では、前記サービスは、前記利用者を運搬するサービス（実施形態３では、バスのサービス）であり、前記設定部は、さらに、前記サービスの利用開始時における場所（実施形態３では、乗車場所）の情報および前記サービスの利用終了時における場所（実施形態３では、降車場所）の情報に基づいて、前記第２の携帯可能電子装置との通信により精算を行う料金を設定する。
【００８９】
以上のように、実施形態４の通信システム３１１ｃでは、バスにおいて、個人番号カード３０２ｃと精算用カード３０３ｃが続けて同一の端末（前部端末３５１ｃまたは後部端末３５２ｃ）と通信する場合に、個人番号カード３０２ｃに記憶された情報（実施形態４では、個人情報）に基づく割引を精算用カード３０３ｃによる精算に適用することにより、利用者５０１や乗務員５１１にとって簡便に、所定の情報に基づく割引を料金に適用することができる。
【００９０】
（実施形態５）
以下、実施形態５を図面を参照して説明する。
実施形態５では、説明の便宜上、図４に示されるものと同様な構成に関し、通信システム３１１ｄ、読み取り端末システム３０１ｄ、前部端末３５１ｄ、後部端末３５２ｄ、個人番号カード３０２ｄ、精算用カード３０３ｄ、管理サーバ３０４ｄと呼ぶ。ここで、個人番号カード３０２ｄと、管理サーバ３０４ｄは、それぞれ、実施形態１のものと同様である。
実施形態５では、主に、実施形態１との相違点を詳しく説明し、実施形態１と同様な点については説明を省略または簡易化する。
【００９１】
ここで、実施形態５の前部端末３５１ｄ（および後部端末３５２ｄ）は、概略的には、実施形態２に係る図８に示されるものと同様な機能を有する。
また、実施形態５の精算用カード３０３ｄは、概略的には、実施形態２に係るものと同様な機能を有する。
【００９２】
図１７は、実施形態５の通信システム３１１ｄにおける料金支払いの処理の流れの一例を示すタイムチャート図である。
実施形態５では、バスの利用者５０１が、料金割引に個人番号カード３０２ｄを使用し、料金支払いに精算用カード３０３ｄを使用する場合を示す。図１７には、利用者５０１、読み取り端末システム３０１ｄ（前部端末３５１ｄおよび後部端末３５２ｄを含む。）、個人番号カード３０２ｄ、精算用カード３０３ｄを示してある。実施形態５では、バスの利用者５０１が、乗車時に、所定の端末（前部端末３５１ｄまたは後部端末３５２ｄのうちの一方）に精算用カード３０３ｄをかざし、そして、降車時に、当該端末（前記した前部端末３５１ｄまたは後部端末３５２ｄのうちの一方）または他方の端末である同一の端末に、個人番号カード３０２ｄをかざした後に、精算用カード３０３ｄをかざす場合を示す。つまり、乗車時における通信と降車時における通信の両方を行って料金を支払う。なお、乗車時と降車時のそれぞれにおいて使用される端末（前部端末３５１ｄまたは後部端末３５２ｄ）としては、特に限定はなく、例えば、前部で乗車して後部で料金を支払って降車する構成や、後部で乗車して前部で料金を支払って降車する構成が用いられてもよい。
【００９３】
ここでは、降車時に、前部端末３５１ｄで割引関連情報を通信して、前部端末３５１ｄで料金を支払う場合を例として説明する。なお、降車時に、後部端末３５２ｄで割引関連情報を通信して、後部端末３５２ｄで料金を支払う場合も同様である。
なお、バスが存在する場所（乗車場所や降車場所）は、読み取り端末システム３０１ｄにおいて把握されている。
【００９４】
まず、乗車時の処理を説明する。
利用者５０１が、精算用カード３０３ｄを後部端末３５２ｄの読み取り部にかざしてタッチする（処理Ｔ１０１）。すると、後部端末３５２ｄは、精算用カード３０３ｄと通信して、当該精算用カード３０３ｄへ乗車場所の情報を送信する（処理Ｔ１０２）。乗車場所の情報を受信した精算用カード３０３ｄは、受信した乗車場所の情報を記憶する（処理Ｔ１０３）。
【００９５】
次いで、降車時の処理を説明する。
利用者５０１が、個人番号カード３０２ｄを前部端末３５１ｄの読み取り部にかざしてタッチすると（処理Ｔ１０４）、前部端末３５１ｄは個人番号カード３０２ｄに対してファイルを選択するためのセレクト（ＳＥＬＥＣＴ）コマンドを送信する（処理Ｔ１０５）。セレクトコマンドを受信した個人番号カード３０２ｄは、対象となるＤＦを選択してカレントＤＦとして設定して、前部端末３５１ｄに対してレスポンスを返す（処理Ｔ１０６）。ここで、対象となるＤＦは、個人情報（割引関連情報の一例）が記憶されているＤＦである。
【００９６】
次に、前部端末３５１ｄは、個人番号カード３０２ｄに対して、割引対象の資格情報（実施形態５では、個人情報）を取得するためのゲットデータ（ＧＥＴ  ＤＡＴＡ）コマンドを送信する（処理Ｔ１０７）。ゲットデータコマンドを受信した個人番号カード３０２ｄは、個人情報をレスポンスに設定して前部端末３５１ｄへ返す（処理Ｔ１０８）。
ここで、実施形態５では、個人情報には、割引のレベルを特定することが可能な情報と、割引の有効期限を特定することが可能な情報が含まれるとする。
【００９７】
その後、利用者５０１は、精算用カード３０３ｄを前部端末３５１ｄの読み取り部にかざしてタッチする（処理Ｔ１０９）。すると、前部端末３５１ｄは、精算用カード３０３ｄと通信して、当該精算用カード３０３ｄに記憶される残高情報から設定された料金を減算することで、料金の精算を行う（処理Ｔ１１０）。この際、前部端末３５１ｄは、精算用カード３０３ｄと通信して、当該精算用カード３０３ｄに記憶された乗車場所の情報を受信し、受信した乗車場所の情報と降車場所の情報に基づいて料金（運賃）を設定する。また、この際、前部端末３５１ｄは、前記した個人番号カード３０２ｄに対するゲットデータコマンドから得られたレスポンスの情報（実施形態５では、個人情報）に基づいて、割引対象であると判定した場合には割引後の料金（運賃）を設定し、一方、割引対象ではないと判定した場合には通常の料金（運賃）を設定する。
【００９８】
このように、実施形態５では、降車時において、前部端末３５１ｄは、読み取り部にかざされた個人番号カード３０２ｄに記憶された情報（個人情報）を読み取って記憶した後に、続けて読み取り部にかざされた精算用カード３０３ｄの精算処理において、当該記憶した情報（個人情報）に基づく割引を適用する。
なお、実施形態５では、乗車場所と降車場所の組み合わせにより料金（運賃）が異なり得る場合を示した。他の構成例として、乗車場所や降車場所によらずに一定の金額の料金（運賃）である場合には、乗車場所の情報や降車場所の情報が用いられなくてもよい。
【００９９】
ここで、実施形態５では、前部端末３５１ｄは、読み取り部に対して、個人番号カード３０２ｄがかざされた後に、所定の期間内に、精算用カード３０３ｄ以外の検出可能なＩＣカードがかざされずに、精算用カード３０３ｄがかざされた場合に、当該個人番号カード３０２ｄと当該精算用カード３０３ｄが続けてかざされたと判定し、上記のような割引に関する処理を実行する。一方、前部端末３５１ｄは、それ以外の場合には、当該個人番号カード３０２ｄと当該精算用カード３０３ｄが続けてかざされていないと判定し、上記のような割引に関する処理を実行しない。なお、所定の期間としては、任意の期間が用いられてもよく、例えば、３０秒などの期間が用いられてもよい。
【０１００】
図１８は、実施形態５の読み取り端末システム３０１ｄにおける料金支払いの処理の流れの一例を示すフローチャート図である。図１８を参照して、読み取り端末システム３０１ｄにおいて行われる処理のシーケンスの一例を示す。実施形態５では、乗務員５１１は、特に何もしなくてもよい。
まず、利用者５０１が持つ個人番号カード３０２ｄには、あらかじめ、割引関連情報（実施形態５では、個人情報）を登録して記憶しておく。
乗車時において、後部端末３５２ｄでは、読み取り部に利用者５０１が精算用カード３０３ｄをかざすと（ステップＳ１２１）、精算用カード３０３ｄに乗車場所の情報を通知して記憶させる（ステップＳ１２２）。
【０１０１】
降車時において、前部端末３５１ｄでは、読み取り部に利用者５０１が個人番号カード３０２ｄをかざすと（ステップＳ１２３）、当該個人番号カード３０２ｄと通信し、当該個人番号カード３０２ｄに記憶された個人情報を取得し、割引対象であるかまたは割引非対象であるかを判定する（ステップＳ１２４）。その後、前部端末３５１ｄでは、読み取り部に利用者５０１が精算用カード３０３ｄをかざすと（ステップ１２５）、当該精算用カード３０３ｄに記憶された乗車場所の情報と、降車場所の情報と、前記した割引対象の判定結果に基づいて、割引料金または通常料金を設定し（ステップＳ１２６）、料金（運賃）を精算する処理を行う（ステップＳ１２７）。
【０１０２】
ここで、割引対象の資格情報（実施形態５では、割引関連情報の一例である個人情報）や、割引金額の情報や、割引の有効期限の情報などは、必要に応じて、管理サーバ３０４ｄを介して更新される（ステップＳ１３１）。
【０１０３】
なお、実施形態５において、例えば、降車時に前部端末３５１ｄと精算用カード３０３ｄとが通信したときに、利用者５０１が支払うべき料金の情報を出力（表示や音声出力）する構成が用いられてもよい。また、例えば、乗車場所および降車場所の組み合わせが未確定であるために利用者５０１が支払うべき料金が未確定であるが、割引対象であるか否かが確定したとき（例えば、降車時に前部端末３５１ｄと個人番号カード３０２ｄとが通信したとき）に、割引対象であれば所定の基本料金（例えば、乗降場所によらない最低料金）に対して割引を適用した結果の料金を出力し、割引対象でなければ所定の基本料金を出力する構成が用いられてもよい。
【０１０４】
一構成例として、端末（実施形態５では、前部端末３５１ｄや後部端末３５２ｄ）では、利用者（実施形態５では、利用者５０１）によるサービス（実施形態５では、バス）の利用開始時に、第２の携帯可能電子装置（実施形態５では、精算用カード３０３ｄ）との通信が行われ、前記利用者による前記サービスの利用終了時に、第１の携帯可能電子装置（実施形態５では、個人番号カード３０２ｄ）の後に続けて前記第２の携帯可能電子装置と通信する場合に、前記情報取得部は、前記第１の携帯可能電子装置に記憶された情報（実施形態５では、個人情報）を取得し、設定部は、前記情報取得部により取得された情報により特定される割引に基づいて、前記第２の携帯可能電子装置との通信により精算を行う料金を設定する。
一構成例として、前記端末では、前記サービスは、前記利用者を運搬するサービス（実施形態５では、バスのサービス）であり、前記設定部は、さらに、前記サービスの利用開始時における場所（実施形態５では、乗車場所）の情報および前記サービスの利用終了時における場所（実施形態５では、降車場所）の情報に基づいて、前記第２の携帯可能電子装置との通信により精算を行う料金を設定する。
【０１０５】
以上のように、実施形態５の通信システム３１１ｄでは、バスにおいて、個人番号カード３０２ｄと精算用カード３０３ｄが続けて同一の端末（前部端末３５１ｄまたは後部端末３５２ｄ）と通信する場合に、個人番号カード３０２ｄに記憶された情報（実施形態５では、個人情報）に基づく割引を精算用カード３０３ｄによる精算に適用することにより、利用者５０１や乗務員５１１にとって簡便に、所定の情報に基づく割引を料金に適用することができる。
【０１０６】
以上述べた少なくともひとつの実施形態の通信システム（通信システム３１１、３１１ａ〜３１１ｄ）によれば、個人番号カード（個人番号カード３０２、３０２ａ〜３０２ｄ）と精算用カード（精算用カード３０３、３０３ａ〜３０３ｄ）が続けて同一の端末（前部端末３５１、３５１ａ〜３５１ｄまたは後部端末３５２、３５２ａ〜３５２ｄ）と通信する場合に、個人番号カードに記憶された情報（以上の実施形態では、個人情報）に基づく割引を精算用カードによる精算に適用することにより、利用者５０１や乗務員５１１にとって簡便に、所定の情報に基づく割引を料金に適用することができる。
【０１０７】
ここで、以上の実施形態では、携帯可能電子装置の一例として、ＩＣカードが用いられた個人番号カードおよび精算用カードが使用される構成を示した。他の構成例として、ＩＣカードの代わりに、ＩＣタグ、ＩＣを内蔵したパスポート、ＩＣを内蔵した免許証など、携帯することが可能な電子装置である様々なものに、以上の実施形態と同様な構成が適用されてもよい。
また、以上の実施形態では、割引関連情報を記憶する携帯可能電子装置（一例として、個人番号カード）と、精算を行うための金額情報を記憶する携帯可能電子装置（一例として、精算用カード）とが別体である構成を示した。他の構成例として、これらが一体となった携帯可能電子装置（例えば、スマートフォンを含む携帯電話端末など）が用いられてもよい。
【０１０８】
また、以上の実施形態では、割引関連情報を記憶する携帯可能電子装置（一例として、個人番号カード）と、精算を行うための金額情報を記憶する携帯可能電子装置（一例として、精算用カード）が続けて同一の端末と通信する場合を示した。ここで、例えば、この端末が、割引関連情報を記憶する携帯可能電子装置と通信する通信部（一例として、読み取り部）と、精算を行うための金額情報を記憶する携帯可能電子装置と通信する通信部（一例として、読み取り部）をそれぞれ別々に備える構成が用いられてもよい。
【０１０９】
また、以上の実施形態では、公共交通機関の一例として、バスの料金（運賃）の割引に適用した場合を示した。他の構成例として、タクシー、地下鉄を含む電車、飛行機などの料金（運賃）の割引に適用されてもよい。
また、以上の実施形態と同様な構成は、公共交通機関に限られず、例えば、映画館、コンサートホール、運動施設など、様々な料金の割引が発生し得るものに適用されてもよい。
【０１１０】
なお、以上の実施形態における個人番号カード３０２、３０２ａ〜３０２ｄの一例として、国民一人一人に番号を割り振って納税実績や年金などの社会保障の情報を一元的に管理するための個人番号カードが用いられてもよい。このような個人番号カードを利用して、利用国民の個人情報を一元管理することで、行政機関ごとのシステム構築やメンテナンスに伴う費用削減が図られる。このような個人番号カードの施行後数年を目処に、民間のサービスへの利用範囲の拡大が検討されており、制度導入の効果が期待されている。このような個人番号カードはＩＣカードの一種であり、ＣＰＵなどのデータ処理機構および書き換え可能な不揮発性メモリを有し、外部からの指示を解釈、実行して、その結果を外部に提示する機能を有する。
このような個人番号カードには、公共交通機関の利用時における割引の基準となる障害の等級（レベル）の情報と、その有効期限（障害の認定を受けてからそれが有効と認められる期限）の情報が記憶される。日本政府によって１９５４年に制定された身体障害者福祉法によれば、障害には、障害の程度によって１〜６級の等級があり、また等級とは別に、旅客鉄道株式会社旅客運賃減額で第一種・第二種の種別がある。等級は、数字が小さいほど重度になり、一般的に１、２級を「重度」（特別障害者）、３、４級を「中度」、５、６級を「軽度」（中度、軽度は一般障害者）と分けている。種別は、等級とは別に障害の程度を示し、主に公共交通機関の割引の時の基準となる。また、障害以外にも、高齢による割引などに適用されてもよい。
【０１１１】
以上に示した実施形態に係る各装置（例えば、前部端末３５１、３５１ａ〜３５１ｄ、後部端末３５２、３５２ａ〜３５２ｄ、個人番号カード３０２、３０２ａ〜３０２ｄ、精算用カード３０３、３０３ａ〜３０３ｄ、管理サーバ３０４、３０４ａ〜３０４ｄ）の機能を実現するためのプログラムをコンピュータ読み取り可能な記録媒体に記録して、この記録媒体に記録されたプログラムをコンピュータシステムに読み込ませ、実行することにより、処理を行うことができる。
【０１１２】
なお、ここでいう「コンピュータシステム」とは、オペレーティング・システム（ＯＳ：Operating System）や周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１１３】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【０１１４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
１…ＩＣカード、５…ＩＣチップ、１１…制御素子、１２…ＥＥＰＲＯＭ、１３…ＲＡＭ、１４…ＲＯＭ、１５…通信部、１０１…システム領域、１０２…ユーザ領域、１１１…定義情報領域、１１２…データ格納領域、２０１…ＭＦ、２０２…ＤＦ、２０３〜２０４…ＥＦ、３０１、３０１ａ〜３０１ｄ…読み取り端末システム、３０２、３０２ａ〜３０２ｄ…個人番号カード、３０３、３０３〜３０３ｄ…精算用カード、３０４、３０４ａ〜３０４ｄ…管理サーバ、３１１、３１１ａ〜３１１ｄ…通信システム、３５１、３５１ａ〜３５１ｄ…前部端末、３５２、３５２ａ〜３５２ｄ…後部端末、４０１、６０１、７０１…カード通信部、４０２、６０２、７０２…運賃精算部、４０３、６０３…割引情報記憶部、４０４、６０４、７０４…割引関連情報取得部、４０５、６０５、７０５…割引対象判定部、４０６、６０６、７０６…運賃設定部、４０７、６０７、７０７…運賃出力部、４０８、６１０、７１０…ネットワーク通信部、５０１…利用者、５１１…乗務員、６０８、７０８…乗車場所情報通知部、６０９、７０９…前後部通信部、７０３…割引特定情報通知部、７５１…通信部、７５２…記憶部、７５３…処理部、７７１…識別情報記憶部、７７２…金額情報記憶部、７７３…乗車場所情報記憶部、７７４…割引特定情報記憶部
【図１】
2015095153.tif 000003
【図２】
2015095153.tif 000004
【図３】
2015095153.tif 000005
【図４】
2015095153.tif 000006
【図５】
2015095153.tif 000007
【図６】
2015095153.tif 000008
【図７】
2015095153.tif 000009
【図８】
2015095153.tif 000010
【図９】
2015095153.tif 000011
【図１０】
2015095153.tif 000012
【図１１】
2015095153.tif 000013
【図１２】
2015095153.tif 000014
【図１３】
2015095153.tif 000015
【図１４】
2015095153.tif 000016
【図１５】
2015095153.tif 000017
【図１６】
2015095153.tif 000018
【図１７】
2015095153.tif 000019
【図１８】
2015095153.tif 000020